(57)【要約】【課題】消費者が所持しているアパレル品と店舗等で販売されているアパレル品のコーディネイトを仮想的に試すことができるシステムを提供する。【解決手段】モニタ装置２は、ログインしたユーザのユーザ品の画像をデータベース装置３から取得した後、ユーザ品又は店舗品の画像をアパレル品のカテゴリ毎にユーザが選択するためのユーザ画面をタッチパネル２４に表示する。そして、モニタ装置２は、ユーザ画面にてユーザが画像とカテゴリを選択すると、モニタ２５に表示されている撮影画像に含まれる顔画像を検出し、該カテゴリに対応する顔からの相対距離と顔画像の位置から合成画像の表示位置を、顔画像のサイズから合成画像の表示サイズをそれぞれ決定し、合成画像を撮影画像に合成して表示する。【選択図】図１
2013008249.tif 000002
【特許請求の範囲】
【請求項１】
ユーザのアカウント名に関連付けて、ユーザ情報として、ユーザが所持するアパレル品（ユーザ品）の画像をアパレル品のカテゴリ毎に記憶しているデータベース装置と、モニタ装置が設置されている店舗で販売されているアパレル品（店舗品）の画像をアパレル品のカテゴリ毎に記憶しているモニタ装置とから少なくとも構成され、
前記データベース装置は、アカウント名を含むログイン情報が送信されると、ログイン情報を照合し、照合に成功すると、ログイン情報を送信した装置に対して、ログイン情報に含まれるアカウント名に関連付けられた前記ユーザ情報へのアクセスを許可するログイン管理手段を備え、
前記モニタ装置は、前記モニタ装置の前に立つユーザをカメラで撮影し、カメラで撮影した撮影画像をモニタに表示する撮影手段と、前記モニタ装置を利用するユーザからログイン情報を取得して前記データベース装置へ送信し、該ログイン情報に含まれるアカウント名に関連付けられた前記ユーザ情報を前記データベース装置から取得・記憶するログイン手段と、前記ユーザ品又は前記店舗品の画像をアパレル品のカテゴリ毎にユーザが選択するためのユーザ画面を表示した後、前記ユーザ画面にてユーザが選択した画像とカテゴリを前記撮影画像に合成する合成画像とそのカテゴリとして受け付ける操作手段と、前記操作手段から前記合成画像とカテゴリが指定されると、前記撮影手段のモニタに表示されている前記撮影画像に含まれる顔画像を検出し、該カテゴリに対応する顔からの相対距離と前記顔画像の位置から前記合成画像の表示位置を、前記顔画像のサイズから前記合成画像の表示サイズをそれぞれ決定し、前記合成画像を前記撮影画像に合成して表示する表示制御手段を備えていることを特徴とする試着支援システム。
【請求項２】
前記データベース装置が記憶する前記ユーザ情報に、ユーザの年齢・性別を含むユーザ属性情報を含ませ、前記モニタ装置が記憶する前記店舗品の画像に、前記店舗品の対象年齢・対象性別を記した商品属性情報を関連付けておき、前記モニタ装置の前記操作手段は、前記店舗品の画像を表示する際、取得した前記ユーザ情報に含まれる前記ユーザ属性情報に前記商品属性情報が適合する前記店舗品の画像を抽出して表示することを特徴とする、請求項１に記載の試着支援システム。
【請求項３】
前記モニタ装置の前記操作手段は、前記合成画面の表示位置・表示サイズを微調整するためのオブジェクトを含むユーザ画面を表示し、前記表示手段制御は、操作手段にて操作された該オブジェクトに応じて前記合成画像の表示位置及び表示サイズを変更することを特徴とする、請求項１又は請求項２に記載された試着支援システム。
【請求項４】
前記モニタ装置の前記操作手段は、前記合成画像の表示位置及び表示サイズを変更すると、変更後の表示位置及び表示サイズを含む環境設定情報を前記モニタ装置に記憶し、前記操作手段から前記合成画像とカテゴリが指定された際に、前記モニタ装置に前記環境設定情報が含まれている場合は、該環境設定情報を用いて前記合成画像を表示し、前記ログイン管理手段は、ログオフする際、前記モニタ装置に記憶されている前記ユーザ情報に含まれる前記環境設定情報をログインしていたアカウント名に関連付けて前記データベース装置に登録することを特徴とする、請求項３に記載された試着支援システム。
【請求項５】
前記データベース装置は、ユーザのアカウント名として、ユーザが所持する携帯端末の電子メールを前記データベース装置に少なくとも登録するためのＷＵＩ（Web User Interface）を有し、該ＷＵＩに入力されたユーザのアカウント名を登録すると共に、登録したアカウント名に対して、登録したアカウント名を少なくとも含むログイン情報をエンコードしたコード画像を送信するユーザ登録手段を備え、前記モニタ装置の前記ログイン管理手段は、前記撮影手段のカメラにより撮影された前記コード画像をデコードすることでログイン情報を取得することを特徴とする、請求項１から４のいずれか一項に記載された試着支援システム。
【請求項６】
前記データベース装置は、前記ユーザ品の画像を前記データベース装置へアップロードするためのＷＵＩを有し、前記ログイン管理手段を用いてユーザのログインを管理した後、該ＷＵＩによりアップロードされた前記ユーザ品の画像をログインしたユーザのアカウント名に関連付けて記憶するアップロード手段を備えていることを特徴とする、請求項１から５のいずれか一項に記載された試着支援システム。
【発明の詳細な説明】
【技術分野】
【０００１】
本発明は、消費者が所持しているアパレル品と店舗等で販売されているアパレル品のコーディネイトを仮想的に試すことができるシステムである。
【背景技術】
【０００２】
衣服などのアパレル品（apparel）を店舗で購入する際、消費者は、アパレル品を販売する店舗にある試着室にて幾つかのアパレル品を試着し、自分に似合った物を購入することが一般的であったが、近年、コンピュータを利用してアパレル品の試着を支援するシステムが開発されるようになった。
【０００３】
例えば、特許文献１において、アパレル品の試着を行う試着室に撮影機器を設け、該撮影機器にて撮影した試着画像を記憶しておき、それぞれの試着画像を比較できるように表示する装置が開示されている。なお、特許文献１では、テクスチャを利用して、試着画像に含まれるアパレル品の色も変更できる。
【０００４】
特許文献１で開示されている装置では、消費者はアパレル品を実際に試着しなければならないが、消費者がアパレル品を実際に試着すると、アパレル品の汚れの発生や、試着する時間が問題になるため、消費者がアパレル品を実際に試着しなくとも、試着を支援できるシステムも開示されている。
【０００５】
消費者がアパレル品を実際に試着しなくとも、消費者がアパレル品を仮想的に試着できるシステムとしては、例えば、特許文献２おいて、アパレル品を実際に着たモデル画像に、カメラで撮影した消費者の画像を合成して表示する装置が開示されている。また、特許文献３では、ハーフミラーで映し出したユーザの画像（鏡像）に対して、ハーフミラーの裏面からアパレル品の画像を投影して表示させる装置が開示されている。
【先行技術文献】
【特許文献】
【０００６】
【特許文献１】特開２００２−２０７８０２号公報
【特許文献２】特開２００１−１２５９４４号公報
【特許文献３】特開２０１０−７０８８９号公報
【発明の概要】
【発明が解決しようとする課題】
【０００７】
しかしながら、上述したいずれの発明も、店舗等で販売されているアパレル品の試着を支援できるのに過ぎず、消費者は、消費者が所持しているアパレル品と店舗等で販売されているアパレル品のコーディネイトを仮想的に試すことはできなかった。
【０００８】
そこで、本発明は、消費者が所持しているアパレル品と店舗等で販売されているアパレル品のコーディネイトを仮想的に試すことができるシステムを提供することを目的とする。
【課題を解決するための手段】
【０００９】
上述した課題を解決する第１の発明は、ユーザのアカウント名に関連付けて、ユーザ情報として、ユーザが所持するアパレル品（ユーザ品）の画像をアパレル品のカテゴリ毎に記憶しているデータベース装置と、モニタ装置が設置されている店舗で販売されているアパレル品（店舗品）の画像をアパレル品のカテゴリ毎に記憶しているモニタ装置とから少なくとも構成される試着支援システムである。
【００１０】
第１の発明おいて、前記データベース装置は、前記データベース装置へのログインを管理するために、アカウント名を含むログイン情報が送信されると、ログイン情報を照合し、照合に成功すると、ログイン情報を送信した装置に対して、ログイン情報に含まれるアカウント名に関連付けられた前記ユーザ情報へのアクセスを許可するログイン管理手段を備える。
【００１１】
また、第１の発明において、前記モニタ装置は、ユーザを撮影するために、前記モニタ装置の前に立つユーザをカメラで撮影し、カメラで撮影した撮影画像をモニタに表示する撮影手段を備え、前記モニタ装置を利用するユーザのログインを受け付けるために、前記モニタ装置を利用するユーザからログイン情報を取得して前記データベース装置へ送信し、該ログイン情報に含まれるアカウント名に関連付けられた前記ユーザ情報を前記データベース装置から取得・記憶するログイン手段を備える。
【００１２】
更に、第１の発明において、前記モニタ装置は、ログインしたユーザが前記ユーザ品又は前記店舗品の画像を選択できるように、前記ユーザ品又は前記店舗品の画像をアパレル品のカテゴリ毎にユーザが選択するためのユーザ画面を表示した後、前記ユーザ画面にてユーザが選択した画像とカテゴリを前記撮影画像に合成する合成画像とそのカテゴリとして受け付ける操作手段を備え、ユーザが選択した画像を合成して表示するために、前記操作手段から前記合成画像とカテゴリが指定されると、前記撮影手段のモニタに表示されている前記撮影画像に含まれる顔画像を検出し、該カテゴリに対応する顔からの相対距離と前記顔画像の位置から前記合成画像の表示位置を、前記顔画像のサイズから前記合成画像の表示サイズをそれぞれ決定し、前記合成画像を前記撮影画像に合成して表示する表示制御手段を備えていることを特徴とする。
【００１３】
また、上述した課題を解決する第２の発明は、第１の発明において、前記データベース装置が記憶する前記ユーザ情報に、ユーザの年齢・性別を含むユーザ属性情報を含ませ、前記モニタ装置が記憶する前記店舗品の画像に、前記店舗品の対象年齢・対象性別を記した商品属性情報を関連付けておき、前記モニタ装置の前記操作手段は、前記店舗品の画像を表示する際、取得した前記ユーザ情報に含まれる前記ユーザ属性情報に前記商品属性情報が適合する前記店舗品の画像を抽出して表示することを特徴とする。
【００１４】
また、上述した課題を解決する第３の発明は、第１の発明又は第２の発明において、前記モニタ装置の前記操作手段は、前記合成画面の表示位置・表示サイズを微調整するためのオブジェクトを含むユーザ画面を表示し、前記表示手段制御は、操作手段にて操作された該オブジェクトに応じて前記合成画像の表示位置及び表示サイズを変更することを特徴とする。
【００１５】
また、上述した課題を解決する第４の発明は、第３の発明において、前記モニタ装置の前記操作手段は、前記合成画像の表示位置及び表示サイズを変更すると、変更後の表示位置及び表示サイズを含む環境設定情報を前記モニタ装置に記憶し、前記操作手段から前記合成画像とカテゴリが指定された際に、前記モニタ装置に前記環境設定情報が含まれている場合は、該環境設定情報を用いて前記合成画像を表示し、前記ログイン管理手段は、ログオフする際、前記モニタ装置に記憶されている前記ユーザ情報に含まれる前記環境設定情報をログインしていたアカウント名に関連付けて前記データベース装置に登録することを特徴とする。
【００１６】
また、上述した課題を解決する第５の発明は、第１の発明から第４の発明において、前記データベース装置は、ユーザのアカウント名として、ユーザが所持する携帯端末の電子メールを前記データベース装置に少なくとも登録するためのＷＵＩ（Web User Interface）を有し、該ＷＵＩに入力されたユーザのアカウント名を登録すると共に、登録したアカウント名に対して、登録したアカウント名を少なくとも含むログイン情報をエンコードしたコード画像を送信するユーザ登録手段を備え、前記モニタ装置の前記ログイン管理手段は、前記撮影手段のカメラにより撮影された前記コード画像をデコードすることでログイン情報を取得することを特徴とする。
【００１７】
更に、上述した課題を解決する第６の発明は、第１の発明から第５の発明において、前記データベース装置は、前記ユーザ品の画像を前記データベース装置へアップロードするためのＷＵＩを有し、前記ログイン管理手段を用いてユーザのログインを管理した後、該ＷＵＩによりアップロードされた前記ユーザ品の画像をログインしたユーザのアカウント名に関連付けて記憶するアップロード手段を備えていることを特徴とする。
【発明の効果】
【００１８】
上述した第１の発明によれば、データベース装置にユーザ品の画像を記憶し、モニタ装置にログインしたユーザのユーザ品の画像をデータベース装置から取得するようにすることで、試着支援システムを利用するユーザは、ユーザは所持しているユーザ品と店舗で販売されている店舗品をアパレル品のカテゴリが異なるように選択すれば、ユーザ品と店舗品のコーディネイトを仮想的に試すことができるようになる。
【００１９】
また、第２の発明によれば、モニタ装置に表示される店舗品の画像は、ユーザに適切な店舗品の画像のみにすることができる。更に、第３の発明によれば、モニタ装置を利用するユーザは、合成画像の表示位置及び表示サイズを調整できるようになる。更に、第４の発明によれば、ユーザが調整した合成画像の表示位置・表示サイズを再利用できるようになる。更に、第５の発明によれば、前記モニタ装置へのログインを容易にすることができるようになる。更に、第６の発明によれば、ユーザがユーザ自身によってユーザ品の画像をデータベース装置に登録できるようになる。
【図面の簡単な説明】
【００２０】
【図１】本実施形態に係る試着支援システムの構成を説明する図。
【図２】データベース装置を説明する図。
【図３】ユーザＤＢの階層構造を説明する図。
【図４】店舗ＤＢの階層構造を説明する図。
【図５】データベース装置のユーザ登録手段の動作を説明する図。
【図６】アカウント情報とユーザ属性情報を登録するＷＵＩを説明する図。
【図７】データベース装置のログイン管理手段がログインを管理する動作を説明する図。
【図８】ログイン情報を取得するためのＷＵＩを説明する図。
【図９】データベース装置のアップロード手段の動作を説明する図。
【図１０】ユーザ品の画像をアップロードするためのＷＵＩを説明する図。
【図１１】ユーザ品登録処理を説明する図。
【図１２】モニタ装置に備えられた機能を説明する図。
【図１３】モニタ装置のログイン管理手段の動作を説明する図。
【図１４】モニタ装置の操作手段の動作を説明する図。
【図１５】タッチパネルに表示される通常画面を説明する図。
【図１６】タッチパネルに表示するユーザ画面を説明する図。
【図１７】モニタ装置の表示制御手段の動作を説明する図。
【発明を実施するための形態】
【００２１】
ここから，本発明の実施形態について，本発明の技術分野に係わる当業者が，発明の内容を理解し，発明を実施できる程度に説明する。なお、これから説明する実施形態は本発明の一実施形態にしか過ぎず、本発明は，これから説明する実施形態に限定されることなく、種々の変形や変更が可能である。
【００２２】
図１は、本実施形態に係る試着支援システム１の構成を説明する図である。本実施形態に係る試着支援システム１は、試着支援システム１を利用するユーザが所持しているアパレル品（以下、「ユーザ品」と記す。）と店舗で販売されているアパレル品（以下、「店舗品」と記す。）のコーディネイトを仮想的に試すことができるように開発されたシステムで、ユーザ品と店舗品のコーディネイトを仮想的に試すにユーザが利用するモニタ装置２と、ユーザ品の画像や店舗品の画像を記憶しているデータベース装置３とから少なくとも構成され、モニタ装置２及びデータベース装置３はインターネット４に接続している。なお、図１では、１台のモニタ装置２しか図示していないが、実際は店舗毎にモニタ装置２が設置されることになる。
【００２３】
また、図１では、モニタ装置２にユーザがログインする際に利用する携帯端末５（例えば、携帯電話やスマートフォン）が含まれ、ユーザがデータベース装置３にアクセスする際に利用するコンピュータ機器としてPC６（Personal Computer）を図示している。
【００２４】
まず、データベース装置３について説明する。本実施形態において、データベース装置３は、ＨＴＴＰ及びＦＴＰに対応したサーバにより実現される装置で、データベース装置３はＤＢとして、試着支援システム１にユーザ登録したユーザがアップロードしたユーザ品の画像を記憶するユーザＤＢ３３と、モニタ装置２が設置されている店舗で販売されている店舗品の画像を記憶する店舗ＤＢ３４が設けられ、更に、コンピュータプログラムにより実現される機能として、ユーザがアカウント情報とユーザ属性情報を登録するためのＷＵＩ（Web User Interface）を有するユーザ登録手段３０と、ユーザ登録したユーザのデータベース装置３へのログインを管理するログイン管理手段３１と、ユーザ登録したユーザがユーザ品の画像をアップロードするためのＷＵＩを有するアップロード手段３２を備えている。
【００２５】
図２は、データベース装置３を説明する図である。データベース装置３は、１台又は複数台のサーバにより構成される装置で、図２に図示したように、データベース装置３はＤＢとして、試着支援システム１にユーザ登録したユーザがアップロードしたユーザ品の画像を記憶するユーザＤＢ３３と、モニタ装置２が設置されている店舗で販売されている店舗品の画像を記憶する店舗ＤＢ３４が設けられる。
【００２６】
図３は、データベース装置３に設けられたユーザＤＢ３３の階層構造を説明する図である。ユーザＤＢ３３の階層構造は任意で良いが、本実施形態において、ユーザＤＢ３３には、ルートフォルダ３３０の下に、ユーザのアカウント名（ここでは、携帯端末５の電子メールアドレス）により識別されるユーザフォルダ３３１が、ユーザが試着支援システム１に登録したユーザ毎に設けられる。このユーザフォルダ３３１へのアクセスはパスワードによって管理され、ユーザフォルダ３３１の下には、アカウント名で特定されるユーザのユーザ情報が記憶される。
【００２７】
ユーザフォルダ３３１の下に記憶されるユーザ情報には、アパレル品のカテゴリ毎に分類されたユーザ品の画像を記憶する画像ファイル３３５が少なくとも含まれる。アパレル品のカテゴリ毎に分類するために、ユーザフォルダ３３１の下には、アパレル品のカテゴリ名で識別されるカテゴリフォルダ３３４がアパレル品のカテゴリ毎に設けられ、ユーザがアップロードしたユーザ品の画像を記憶する画像ファイル３３５は、ユーザ品のカテゴリに対応するカテゴリフォルダ３３１の下に記憶される。
【００２８】
また、本実施形態では、画像を合成する際の表示位置や表示サイズが記された環境設定情報やユーザの年齢・性別などが記されたユーザ属性情報がユーザ情報に含まれ、ユーザフォルダ３３１の下には、ユーザ属性情報を記憶したファイル３３２と環境設定情報を記憶したファイル３３３が記憶される。
【００２９】
図４は、店舗ＤＢ３４の階層構造を説明する図である。店舗ＤＢ３４の階層構造は任意で良いが、本実施形態では、ルートフォルダ３４０の下に、モニタ装置２が設置される店舗毎に、店舗の名称で識別される店舗フォルダ３４１が設けられる。
【００３０】
そして、店舗フォルダ３４１の下には、アパレル品のカテゴリ毎に店舗品の画像を分類するために、アパレル品のカテゴリ名で識別されるカテゴリフォルダ３４２が設けられ、店舗フォルダ３４１に対応する店舗で販売されている店舗品の画像を記憶する画像ファイル３４３は、店舗品のカテゴリに対応するカテゴリフォルダ３４２の下に記憶される。なお、本実施形態では、店舗品の画像を記憶する画像ファイル３４３には、店舗品の商品属性情報（メーカ、価格、対象年齢、対象性別、商品説明など）が付与されている。
【００３１】
なお、店舗品の画像の登録は店舗側で行う必要は必ずしも無く、試着支援システム１の運営会社に店舗が店舗品そのものを送信し、試着支援システム１の運営会社側で、該店舗品の画像を撮影し、撮影した店舗品の画像を店舗ＤＢ３４へ登録するようにすればよい。
【００３２】
次に、データベース装置３に備えられるユーザ登録手段３０の動作について説明する。図５は、データベース装置３のユーザ登録手段３０の動作を説明する図である。
【００３３】
試着支援システム１を利用するユーザは試着支援システム１へのユーザ登録を必要とし、ユーザが、自宅にあるPC６のブラウザのＵＲＬ欄にデータベース装置３のユーザ登録手段３０のＵＲＬを入力するか、又は、データベース装置３のユーザ登録手段３０のＵＲＬが張られたリンクをクリックすることで、ユーザが操作するPC６からデータベース装置３のユーザ登録手段３０に対してアクセス要求がなされ、データベース装置３のユーザ登録手段３０は、ユーザが操作するＰＣ６からアクセス要求を受けることになる（Ｓ１）。
【００３４】
データベース装置３のユーザ登録手段３０は、ユーザが操作するＰＣ６からアクセス要求を受けると、アカウント情報とユーザ属性情報を入力するＷＵＩを、アクセス要求を送信したＰＣ６に対して送信し、該PC６からアカウント情報とユーザ属性情報を取得する（Ｓ２）。
【００３５】
図６は、アカウント情報とユーザ属性情報を登録するＷＵＩを説明する図である。図６で図示したＷＵＩ３００には、アカウント情報として、ユーザのアカウント名（ここでは、携帯端末５の電子メールアドレス）、パスワード（ここで、は０〜９までの数字４桁）及び確認用のパスワードを入力する入力フォーム３０１、３０２、３０３に加え、ユーザ属性情報として、ユーザの氏名（漢字）、氏名（カナ）、性別及び年齢を入力する入力フォーム３０４、３０５、３０６、３０７が設けられ、ユーザ登録するユーザがアカウント名とユーザ属性情報を入力した後、該ユーザが送信ボタン３０８をクリックすると、入力フォーム３０１〜３０７に入力されたアカウント情報とユーザ属性情報がデータベース装置３のユーザ登録手段３０に送信される。
【００３６】
データベース装置３のユーザ登録手段３０は、PC６からアカウント情報とユーザ属性情報が送信されると、送信されたアカウント情報とユーザ属性情報を表示する確認画面を該PC６へ送信する（Ｓ３）。
【００３７】
図により説明はしないが、アカウント情報とユーザ属性情報を表示する確認画面には、確認画面に表示されたアカウント情報とユーザ属性情報の承諾を得るためのボタンが表示され、アカウント情報等を入力したユーザによって、該ボタンがクリックされると、データベース装置３のユーザ登録手段３０は、ＰＣ６から取得したアカウント情報とユーザ属性情報をユーザＤＢ３３に登録する（Ｓ４）。
【００３８】
データベース装置３のユーザ登録手段３０は、PC６から送信されたアカウント情報とユーザ属性情報をユーザＤＢ３３に登録する際、PC６から送信されたアカウント情報に含まれるアカウント名で識別するユーザフォルダ３３１を生成した後、該アカウント情報に含まれるパスワードを該ユーザフォルダ３３１のパスワードに設定し、更に、該ユーザフォルダ３３１の下にPC６から送信されたユーザ属性情報を所定のファイル形式で記憶する。
【００３９】
PC６から送信されたアカウント情報とユーザ属性情報をユーザＤＢ３３に登録すると、データベース装置３のユーザ登録手段３０は、ユーザ登録したことをユーザに通知するために、アカウント情報とユーザ属性情報を送信したPC６に対してユーザ登録の仮完了画面を送信すると共に（Ｓ５）、アカウント情報に含まれるアカウント名に対して、アカウント情報を少なくともエンコードしたコード画像（例えば、ＱＲコード）を添付ファイルとした電子メールを本完了画面として送信し（Ｓ６）、この手順は完了する。
【００４０】
次に、データベース装置３に備えられるログイン管理手段３１の動作を説明する。データベース装置３に備えられるログイン管理手段３１は、データベース装置３以外の装置（ここでは、PC６及びモニタ装置２）から送信されたログイン情報を用いて、ログイン情報に含まれるアカウント名によるログインを管理し、また、該装置から送信されたログアウト情報を用いて、ログアウト情報に含まれるアカウント名によるログアウトを管理する手段である。
【００４１】
図７は、データベース装置３のログイン管理手段３１がログインを管理する動作を説明する図である。データベース装置３のログイン管理手段３１は、他の装置（ここでは、PC６及びモニタ装置２）からログイン要求を受けると、ログイン要求を受けたプロトコルに従い処理を分岐させる（Ｓ１０）。
【００４２】
PC６によりログイン要求を受けた場合、ログイン要求を受けたプロトコルはＨＴＴＰになり、データベース装置３のログイン管理手段３１は、ログイン要求を送信したPC６に対して、データベース装置３のログイン管理手段３１へログイン情報を取得するためのＷＵＩを送信し、ユーザのログイン情報を該PC６から取得する（Ｓ１１）。
【００４３】
図８は、ログイン情報を取得するためのＷＵＩを説明する図である。図８で図示したＷＵＩ３１０には、データベース装置３にログインするユーザのログイン情報を入力する入力フォームとして、ユーザのアカウント名及びパスワードを入力する入力フォーム３１１、３１２が設けられている。ユーザがこれらの入力フォーム３１１、３１２に所定の情報を入力した後、該ユーザがログインボタン３１３をクリックすると、入力フォーム３１１，３１２に入力されたこれらの情報がログイン情報としてデータベース装置３のログイン管理手段３１に送信される。
【００４４】
また、モニタ装置２がログイン要求した際、ログイン要求を受けたプロトコルはＦＴＰになり、ログイン要求を受けたプロトコルがＦＴＰの場合、データベース装置３のログイン管理手段３１は、モニタ装置２が送信したログイン要求に係るＦＴＰのコマンドから、ログイン情報としてアカウント名とパスワードを取得する（Ｓ１２）。
【００４５】
データベース装置３のログイン管理手段３１は、ログイン情報を取得すると、ユーザＤＢ３３を参照し、ログイン情報に含まれるアカウント名に対応するユーザフォルダ３３１に設定されたパスワードと、ログイン情報に含まれるパスワードを照合することで、データベース装置３へ送信されたログイン情報を照合する（Ｓ１３）。
【００４６】
データベース装置３へ送信されたログイン情報を照合に成功すると、データベース装置３のログイン管理手段３１は、ログイン要求を送信した装置に対して、ログイン情報に含まれるアカウント名に対応するユーザフォルダ３３１へのアクセスを許可し、その旨を該装置に通知して、この手順は終了する。
【００４７】
また、データベース装置３へ送信されたログイン情報を照合に失敗すると、データベース装置３のログイン管理手段３１は、ログイン要求を送信した装置に対して、ログイン情報に含まれるアカウント名に対応するユーザフォルダ３３１へのアクセスを許可せず、その旨を該装置に通知して（Ｓ１４）、この手順を終了する。
【００４８】
なお、図を用いて説明しないが、データベース装置３のログイン管理手段３１は、ログインを許可している装置からログアウト要求を受けると、該装置が送信したログイン情報に含まれるアカウント名に対応するユーザフォルダ３３１へのアクセスを不許可にし、ログアウトしたことを該装置に通知して（Ｓ１５）、この手順を終了する。
【００４９】
次に、データベース装置３に備えられるアップロード手段３２の動作について説明する。図９は、データベース装置３のアップロード手段３２の動作を説明する図である。
【００５０】
試着支援システム１を利用するユーザは、店舗品とコーディネイトさせるユーザ品の画像を試着支援システム１に登録することが必要で、ユーザが、自宅にあるPC６を操作することでデータベース装置３にログインすると、ユーザが利用できるメニューが該PC６のブラウザ上に表示され、ユーザが利用できるメニューの中から、ユーザ品の画像のアップロードを選択することで、データベース装置３のアップロード手段３２は、ユーザが操作するPC６からアクセス要求を受けることになる（Ｓ２０）。
【００５１】
なお、ユーザが利用できるメニューには、ユーザ品の画像のアップロードの他に、ユーザのアカウント名とパスワードの変更や、アップロードしたユーザの画像の削除などを備えさせることが望ましい。
【００５２】
データベース装置３のアップロード手段３２は、ユーザが操作するPC６からアクセス要求を受けると、ユーザ品の画像をアップロードするためのＷＵＩをアクセス要求したPC６へ送信し、アップロードするユーザ品の画像とカテゴリの対を取得する（Ｓ２１）。
【００５３】
図１０は、ユーザ品の画像をアップロードするためのＷＵＩを説明する図である。図１０に図示したＷＵＩ３２０には、ユーザが操作するPC６に記憶されているユーザ品の画像の中から、データベース装置３へアップロードするユーザ品の画像を選択するフォーム３２１と、ユーザ品のカテゴリ（ここでは、トップス、ボトムス）を選択するフォーム３２２が含まれ、アップロードボタン３２３がクリックされると、フォーム３２１、３２２で選択されたユーザ品の画像とカテゴリの対がデータベース装置３のアップロード手段３２に送信される。
【００５４】
データベース装置３のアップロード手段３２は、PC６からユーザ品の画像とカテゴリを取得すると、ユーザ品の画像とカテゴリの対を一時的に記憶した後（Ｓ２２）、ユーザ品の画像のアップロードの完了を確認する確認画面を該PC６に送信し（Ｓ２３）、該PC６からアップロードの継続が通知されると、Ｓ２１に戻り、次にアップロードするユーザ品の画像とカテゴリの対を取得する。
【００５５】
また、アップロードの完了を確認する確認画面を送信したPC６からアップロードの完了が通知されると、データベース装置３のアップロード手段３２は、これまでにPC６からアップロードされたユーザ品の画像をユーザＤＢ３３に登録するユーザ品登録処理を実行して（Ｓ２４）、図９の手順は終了する。
【００５６】
図１１は、アップロードされたユーザ品の画像をユーザＤＢ３３に登録するユーザ品登録処理を説明する図で、データベース装置３にアップロードされたユーザ品の画像とカテゴリの対毎に実行する処理である。
【００５７】
データベース装置３のアップロード手段３２は、アップロードされたユーザ品の画像をユーザＤＢ３３へ登録する際、まず、アパレル品のテンプレートとマッチングするなどして、アップロードされたユーザ品の画像がアパレル品の画像であるか否かを判定する（Ｓ３０）。
【００５８】
データベース装置３のアップロード手段３２は、アップロードされたユーザ品の画像がアパレル品の画像でないと判定した場合、該ユーザ品の画像のアップロードを中止し、アップロードされたユーザ品の画像がアパレル品の画像であると判定した場合、該ユーザ品の画像から不要な箇所を取り除くトリミング処理を行う（Ｓ３１）。
【００５９】
ユーザ品の画像から不要な箇所を取り除くトリミング処理を実行した後、データベース装置３のアップロード手段３２は、ユーザ品の画像の形状を認識するなどして、トリミング処理の結果を判定し（Ｓ３２）、トリミング処理に成功すると、トリミング処理したユーザ品の画像をユーザＤＢ３３に登録して（Ｓ３３）、この手順は完了する。
【００６０】
なお、トリミング処理したユーザ品の画像をユーザＤＢ３３に登録する際、ユーザＤＢ３３を参照し、ログイン情報に含まれるアカウント名に対応するユーザフォルダ３３１の下にあるカテゴリフォルダ３３４の中から、ユーザＤＢ３３に登録するユーザ品の画像と対になるカテゴリに対応するカテゴリフォルダ３３４を選択し、選択したカテゴリフォルダ３３４の下に該ユーザ品の画像を所定のファイル形式で記憶する。
【００６１】
また、アップロードされたユーザ品の画像がアパレル品の画像でないと判定した場合やトリミング処理に失敗したと判定できる場合は、ユーザ品の画像をユーザＤＢ３３に登録することなく、ユーザ品の画像をアップロードしたPC６にエラーメッセージを送信して（Ｓ３４）、この手順を終了する。
【００６２】
ここから、本実施形態の試着支援システム１を構成するモニタ装置２について説明する。モニタ装置２は、ユーザが所持しているユーザ品と店舗で販売されている店舗品のコーディネイトをユーザが仮想的に試す際に利用する装置で、モニタ装置２は、タッチパネル２４、モニタ２５（ここでは、液晶ディスプレイ）及びカメラ２６を有するコンピュータ機器で実現される。
【００６３】
なお、モニタ装置２が設置されている店舗で販売されている店舗品の画像がデータベース装置３の店舗ＤＢ３４に登録された後、店舗の店員の操作により、店舗に対応する店舗フォルダ３４１の内容がモニタ装置２のハードディスクなどに記憶される。
【００６４】
図１２は、モニタ装置２に備えられた機能を説明する図である。ユーザ品と店舗品のコーディネイトを仮想的にユーザが試すことができるように、モニタ装置２には、モニタ装置２の前に立つユーザをカメラ２６で撮影し、カメラ２６で撮影した撮影画像をモニタ２５に表示する撮影手段２３と、モニタ装置２へログインするユーザからログイン情報を取得して、データベース装置３へログインし、データベース装置３から該ユーザのユーザ情報を取得するログイン手段２０と、ユーザ品の画像と店舗品の画像をユーザが選択可能なユーザ画面をタッチパネル２４に表示して、ユーザが選択したユーザ品又は店舗品の画像の選択を合成画像として受け付ける操作手段２１と、操作手段２１により指定された合成画像を撮影手段２３のモニタ２５に表示されている撮影画像に合成する表示制御手段２２が備えられる。
【００６５】
まず、モニタ装置２に備えられた各手段について説明する。モニタ装置２の撮影手段２３は、カメラ２６やモニタ２５を利用して実現される手段で、本実施形態では撮影手段２３のカメラ２６はモニタ装置２の前を撮影し、カメラ２６が撮影した撮影画像がモニタ２５に表示されるように構成されており、ユーザがモニタ装置２の前に立つと、カメラ２６が撮影したユーザの画像がモニタ２５に表示される。
【００６６】
モニタ装置２のログイン手段２０は、モニタ装置２へログインするユーザからログイン情報を取得して、該ログイン情報をデータベース装置３へ送信してデータベース装置３へログインした後、該ログイン情報に含まれるアカウント名に関連付けられたユーザ情報をデータベース装置３から取得し、モニタ装置２のハードディスクなどの該ユーザ情報を記憶する手段である。
【００６７】
ユーザがモニタ装置２へログインする際、ユーザにアカウント情報を入力させるようにしてもよいが、アカウント情報の入力に要する時間がかかるため、本実施形態では、ユーザが試着支援システム１にユーザ登録した際、ユーザが所持する携帯端末５へデータベース装置３が送信したコード画像を用いて、ユーザのログイン情報を取得できるようにしている。
【００６８】
図１３は、モニタ装置２のログイン管理手段３１の動作を説明する図である。モニタ装置２のログイン管理手段３１は、ユーザがモニタ装置２にログインしていない場合、モニタ装置２の撮影手段２３が撮影している画像を解析し、コード画像を認識する処理を実施する（Ｓ４０）。
【００６９】
携帯端末５を利用するユーザが、該ユーザが所持している携帯端末５の画面にコード画像を表示させ、携帯端末５の画面に表示されたコード画像をカメラ２６に読み取らせると、モニタ装置２のログイン管理手段３１は、モニタ装置２の撮影手段２３が撮影した画像に含まれるコード画像を認識し、認識したコード画像をデコードすることで、該コード画像にエンコードされたアカウント情報をログイン情報として取得する（Ｓ４１）。
【００７０】
モニタ装置２のログイン管理手段３１は、コード画像にエンコードされたアカウント情報をログイン情報として取得すると、ＦＴＰによりデータベース装置３へ該ログイン情報を送信し（Ｓ４２）、ログインが許可されたことがデータベース装置３から通知されると、ログイン情報に含まれるアカウント名により識別されるユーザフォルダ３３１の下にあるユーザ情報をデータベース装置３から取得して記憶すると（Ｓ４３）、ユーザ情報を記憶したことを操作手段２１に通知する（Ｓ４４）。
【００７１】
ユーザ情報を記憶したことを操作手段２１に通知した後、モニタ装置２の操作手段２１からログアウトが通知されると、モニタ装置２のログイン管理手段３１は、ログインしているアカウント名により識別されるユーザフォルダ３３１を指定して、モニタ装置２に記憶されている環境設定情報をデータベース装置３へ送信することで、データベース装置３に記憶されているユーザの環境設定情報を更新してから（Ｓ４５）、モニタ装置２に記憶しているユーザ情報を削除した後（Ｓ４６）、ログアウト要求をデータベース装置３のログイン管理手段３１に送信して（Ｓ４７）、この手順の先頭に戻る。
【００７２】
次に、モニタ装置２の操作手段２１について説明する。モニタ装置２の操作手段２１は、ユーザ品の画像と店舗品の画像をユーザが選択可能なユーザ画面を表示して、ユーザが選択したユーザ品又は店舗品の画像の選択を合成画像として受け付ける手段で、本実施形態において、モニタ装置２の操作手段２１は、タッチパネル２４を利用したコンピュータプログラムで実現される。
【００７３】
図１４は、モニタ装置２の操作手段２１の動作を説明する図である。ユーザがモニタ装置２にログインしていない場合、モニタ装置２の操作手段２１は、モニタ装置２が設置されている店舗で販売している店舗品の画像のみが表示される通常画面をタッチパネル２４に表示する（Ｓ５０）。
【００７４】
図１５は、タッチパネル２４に表示される通常画面を説明する図である。モニタ装置２の操作手段２１がタッチパネル２４に表示する通常画面には、アパレル品のカテゴリ毎に、ユーザ品又は店舗品の画像を表示する表示領域２４２ａ、ｂが設けられる。本実施形態では、アパレル品のカテゴリをトップスとボトムスとしているため、図１５に図示したように、モニタ装置２の操作手段２１の通常画面には、トップス用の表示領域２４２ａとボトムス用の表示領域２４２ｂが設けられ、更に、トップス用の表示領域２４２ａに表示する画像を店舗品の画像に設定するボタンオブジェクト２４０ａ、そして、ボトムス用の表示領域２４２ｂに表示する画像を店舗品の画像に設定するボタンオブジェクト２４０ｂが設けられている。
【００７５】
このように、モニタ装置２の操作手段２１がタッチパネル２４に表示する通常画面において、表示領域２４２ａ、ｂに表示する画像を店舗品の画像に設定するボタンオブジェクト２４０ａ、ｂのみが表示されるため、トップス用の表示領域２４２ａとボトムス用の表示領域２４２ｂには店舗品の画像のみしか表示されない。
【００７６】
なお、図４を用いて説明したように、本実施形態の店舗フォルダ３４１には、アパレル品のカテゴリ毎にカテゴリフォルダが設けられているため、モニタ装置２の操作手段２１は、モニタ装置２に記憶しているカテゴリフォルダを参照し、トップスに対応するカテゴリフォルダの下に記憶されている店舗品の画像をトップス用の表示領域２４２ａに表示し、ボトムスに対応するカテゴリフォルダの下に記憶されている店舗品の画像をボトムス用の表示領域２４２ｂに表示する。
【００７７】
また、図１４では、トップス用の表示領域２４２ａとボトムス用の表示領域２４２ｂに一度に表示できる画像数を最大で４つとしており、トップス用の表示領域２４２ａとボトムス用の表示領域２４２ｂに表示する画像を４つずつ切り替えるためのボタンオブジェクト２４３ａ、ｂ、ｃ、ｄがモニタ装置２の操作手段２１がタッチパネル２４に表示する通常画面に設けられている。
【００７８】
また、本実施形態では、モニタ装置２の操作手段２１はタッチパネル２４に通常画面を表示するため、トップス用の表示領域２４２ａまたはボトムス用の表示領域２４２ｂに表示された店舗品の画像のいずれかをタッチすることで、ユーザは店舗品の画像を選択可能で、ユーザが選択した店舗品の画像の商品属性情報を表示する商品属性情報表示領域２４４ａ、ｂが、トップス用の表示領域２４２ａとボトムス用の表示領域２４２ｂの下にそれぞれ設けられている。
【００７９】
また、トップス用の表示領域２４２ａとボトムス用の表示領域２４２ｂの間には、ユーザ品又は店舗品の画像を合成する際の表示位置・表示サイズを調整するためのボタンオブジェクト２４５ａ〜ｆがモニタ装置２の操作手段２１がタッチパネル２４に表示する通常画面に設けられている。
【００８０】
ユーザが、ユーザ品又は店舗品の画像を合成する際の表示位置を調節したい場合、ユーザは、ボタンオブジェクト２４５ａ〜ｄをタッチすることで上下左右に該画像を移動させることができ、該画像の表示サイズを調整した場合、ユーザが、ボタンオブジェクト２４５ｅ、ｆをタッチすることで該画像を縮小／拡大することができる。
【００８１】
ここから、図１４の説明に戻る。モニタ装置２の操作手段２１がタッチパネル２４に通常画面を表示している間、モニタ装置２の操作手段２１はユーザの操作を受け付ける状態になり（Ｓ５１）、トップス用の表示領域２４２ａ又はボトムス用の表示領域２４２ｂに表示されている店舗品の画像の一つがユーザによって選択されると、モニタ装置２の操作手段２１は、選択された店舗品の画像のモニタ装置２上におけるパスを表示制御手段２２に引き渡すことで、選択された店舗品の画像とそのカテゴリを合成画像とそのカテゴリとして表示制御手段２２に指定し（Ｓ５３）、表示制御手段２２は、指定された合成画像を撮影手段２３のモニタ２５に表示されている撮影画像に合成する。
【００８２】
また、モニタ装置２の操作手段２１が通常画面を表示している間に、モニタ装置２のログイン手段２０からログインが通知されると、モニタ装置２の操作手段２１は、ログインしたユーザが登録したユーザ品の画像と店舗品の画像をユーザに選択させるためのユーザ画面をタッチパネル２４に表示する（Ｓ５２）。
【００８３】
図１６は、タッチパネル２４に表示するユーザ画面を説明する図である。モニタ装置２の操作手段２１が表示するユーザ画面には、既に説明している、トップス用の表示領域２４２ａとボトムス用の表示領域２４２ｂ、トップス用の表示領域２４２ａに表示する画像を店舗品の画像に設定するボタンオブジェクト２４０ａ、ボトムス用の表示領域２４２ｂに表示する画像を店舗品の画像に設定するボタンオブジェクト２４０ｂ、トップス用の表示領域２４２ａとボトムス用の表示領域２４２ａに表示する画像を４つずつ切り替えるためのボタンオブジェクト２４３ａ、ｂ、ｃ、ｄ、ユーザが選択した店舗品の商品属性情報を表示する商品属性情報領域２４４ａ、ｂ、ユーザ品又は店舗品の画像の表示位置・表示サイズを調整するためのボタンオブジェクト２４５ａ〜ｆに加え、トップス用の表示領域２４２ａに表示する画像をユーザ品の画像に設定するボタンオブジェクト２４１ａと、ボトムス用の表示領域２４２ｂに表示する画像をユーザ品の画像に設定するボタンオブジェクト２４１ｂと、ログアウトするためのボタンオブジェクト２４６が表示される。
【００８４】
表示領域２４２ａ、ｂに表示する画像をユーザ品の画像に設定するボタンオブジェクト２４０ａ、ｂ、又は、表示領域２４２ａ、ｂに表示する画像を店舗品の画像に設定するボタンオブジェクト２４１ａ、ｂをユーザがタッチすることで、ユーザは、表示領域２４２ａ、ｂに表示する画像をユーザ品又は店舗品の画像のいずれかに設定することができる。
【００８５】
例えば、トップス用の表示領域２４２ａに店舗品の画像を表示している状態で、ユーザがボタンオブジェクト２４１ａをタッチすると、トップス用の表示領域２４２ａに表示される画像はユーザ品の画像になり、その後にユーザがボタンオブジェクト２４０ａをタッチすると、トップス用の表示領域２４２ａに表示される画像は店舗品の画像に戻る。
【００８６】
表示領域２４２ａ、ｂに表示するユーザ品の画像は、ユーザがモニタ装置２にログインした際にモニタ装置２に記憶されたユーザ情報に含まれている。図３を用いて説明したように、本実施形態のユーザ情報には、アパレル品のカテゴリ毎にカテゴリフォルダが設けられているため、モニタ装置２の操作手段２１は、トップス用の表示領域２４２ａに表示する画像をユーザ品の画像に設定するボタンオブジェクト２４１ａがタッチされた場合は、トップスに対応するカテゴリフォルダの下に記憶されているユーザ品の画像をトップス用の表示領域２４２ａに表示し、ボトムス用の表示領域２４２ｂに表示する画像をユーザ品の画像に設定するボタンオブジェクト２４１ｂがタッチされた場合は、ボトムスに対応するカテゴリフォルダの下に記憶されているユーザ品の画像をボトムス用の表示領域２４２ｂに表示する。
【００８７】
また、本実施形態において、モニタ装置２の操作手段２１は、ユーザ画面において、表示領域２４２ａ、ｂに店舗品の画像を表示する際、ユーザのユーザ属性情報に商品属性情報が適合する店舗品の画像を抽出し、抽出した店舗品の画像を表示領域に表示するようにしている。本実施形態では、ユーザの年齢・性別がユーザ属性情報に、店舗品の対象年齢・対象性別が商品属性情報にそれぞれ記載されため、ユーザの年齢・性別に対象年齢・対象性別が適合する店舗品の画像が抽出されて表示される。
【００８８】
ここから、図１４の説明に戻る。モニタ装置２の操作手段２１がタッチパネル２４にユーザ画面を表示している間、モニタ装置２の操作手段２１はユーザの操作を受け付ける状態になり（Ｓ５４）、トップス用の表示領域２４２ａ又はボトムス用の表示領域２４２ｂに表示されているユーザ品又は店舗品の画像の一つが選択されると、モニタ装置２の操作手段２１は、選択されたユーザ品又は店舗品の画像のモニタ装置２上におけるパスを表示制御手段２２に引き渡すことで、選択されたユーザ品又は店舗品の画像とそのカテゴリを合成画像とそのカテゴリとして表示制御手段２２に指定し（Ｓ５６）、表示制御手段２２は、指定された合成画像を撮影手段２３のモニタに表示されている撮影画像に合成する。
【００８９】
また、モニタ装置２の操作手段２１がユーザ画面を表示している間に、ユーザ画面に表示しているログアウトのボタンがタッチさると、モニタ装置２の操作手段２１は、モニタ装置２のログイン手段２０にログアウトを通知し（Ｓ５５）、この手順の先頭に戻る。
【００９０】
次に、モニタ装置２の表示制御手段２２について説明する。モニタ装置２の表示制御手段２２は、操作手段２１により指定されたユーザ品又は店舗品の画像を表示手段に表示させる手段で、モニタ装置２を表示制御手段２２として機能させるコンピュータプログラムで実現される。
【００９１】
図１７は、モニタ装置２の表示制御手段２２の動作を説明する図である。モニタ装置２の表示制御手段２２は、モニタ装置２の操作手段２１から、撮影手段２３のモニタ２５に表示されている撮影画像に合成する合成画像とそのカテゴリが指定されると、指定された合成画像を撮影画像に合成する処理を開始する（Ｓ６０）。なお、合成画像のカテゴリは、ユーザ品又は店舗品の画像が記憶されているカテゴリフォルダから識別できる。
【００９２】
合成画像を撮影画像に合成する処理を開始すると、まず、モニタ装置２の表示制御手段２２は、モニタ装置２に環境設定情報が記憶されているか確認する（Ｓ６１）。
【００９３】
モニタ装置２に環境設定情報が記憶されている場合、モニタ装置２の表示制御手段２２は該環境設定情報を読み取り、環境設定情報の内容に従い、レイヤが撮影画像よりも上になるように、モニタ装置２の操作手段２１から引き渡されたパスで特定される合成画像をモニタ２５に表示させ（Ｓ６６）、この手順を終了する。
【００９４】
モニタ装置２に環境設定情報が記憶されていない場合、モニタ装置２の表示制御手段２２は、モニタ装置２の操作手段２１から引き渡されたパスで特定される合成画像を表示する位置を算出するために、撮影画像の中にあるユーザの顔を検出する顔検出処理を行い、ユーザの顔に対応する顔検出枠の位置とサイズを求める（Ｓ６２）。
【００９５】
モニタ装置２の表示制御手段２２は、撮影画像から顔検出枠の位置とサイズを求めると、顔と身長の平均的な比率を用いるなどして、顔検出枠のサイズからユーザの身長を推算し、推算したユーザの身長を用いて合成画像の表示サイズを決定する（Ｓ６３）。
【００９６】
また、モニタ装置２の表示制御手段２２は、撮影画像から求めた顔検出枠の位置とアパレル品のカテゴリに応じて、合成画像の表示位置を決定する（Ｓ６４）。例えば、トップスは上半身用のアパレル品であるため、アパレル品のカテゴリがトップスの場合、顔から肩までの標準寸法を参照して、合成画像の表示位置が決定される。また、ボトムスは下半身用のアパレル品であるため、アパレル品のカテゴリがボトムスの場合、顔か臍（へそ）までの標準寸法を参照して、合成画像の表示位置が決定される。
【００９７】
そして、モニタ装置２の表示制御手段２２は、合成画像の表示サイズと表示位置を決定すると、決定した表示サイズと表示位置に従い、レイヤが撮影画像よりも上になるように、モニタ装置２の操作手段２１から引き渡されたパスで特定される合成画像をモニタ２５に表示させ（Ｓ６５）、この手順を終了する。
【００９８】
また、合成画像を撮影画像に合成して表示させた状態で、ボタンオブジェクト２４５ａ〜ｆがタッチされることで、モニタ装置３の操作手段２１から位置／サイズの調整指示を受けると、モニタ装置２の表示制御手段２２は、モニタ装置２の操作手段２１から受けた調整指示に従い、撮影手段２３のモニタ２５に表示している合成画像の位置／サイズを変更し、変更した内容が記述された環境設定情報をモニタ装置２に記憶する。
【００９９】
例えば、モニタ装置２の操作手段２１が表示しているボタンオブジェクト２４５ｃがタッチされると、撮影手段２３のモニタ２５に表示されている合成画像の位置を所定の画素数だけ上にずらす処理を行い、また、モニタ装置２の操作手段２１が表示しているボタンオブジェクト２４５ｅがタッチされると、撮影手段２３のモニタに表示している合成画像のサイズを所定のパーセントだけ大きくする処理を行う。
【０１００】
このように、従来の技術では、ユーザーは所持しているユーザ品と店舗で販売されている店舗品とのコーディネイトを試すことができなかったが、本実施形態の試着支援システム１によれば、データベース装置３にユーザ品の画像を予め登録し、モニタ装置２にログインしたユーザーのユーザ品の画像をデータベース装置３から取得するようにすることで、試着支援システム１を利用するユーザは、ユーザーは所持しているユーザ品と店舗で販売されている店舗品とのコーディネイトを試すことができるようになる。
【符号の説明】
【０１０１】
１    試着支援システム
２    モニタ装置
２０  ログイン手段
２１  操作手段
２２  表示制御手段
２３  撮影手段
２４  タッチパネル
２５  カメラ
２６  モニタ
３    データベース装置
３０  ユーザ登録手段
３１  ログイン管理手段
３２  アップロード手段
３３  ユーザＤＢ
３４  店舗ＤＢ
５    携帯端末
【図１】
2013008249.tif 000003
【図２】
2013008249.tif 000004
【図３】
2013008249.tif 000005
【図４】
2013008249.tif 000006
【図５】
2013008249.tif 000007
【図６】
2013008249.tif 000008
【図７】
2013008249.tif 000009
【図８】
2013008249.tif 000010
【図９】
2013008249.tif 000011
【図１０】
2013008249.tif 000012
【図１１】
2013008249.tif 000013
【図１２】
2013008249.tif 000014
【図１３】
2013008249.tif 000015
【図１４】
2013008249.tif 000016
【図１５】
2013008249.tif 000017
【図１６】
2013008249.tif 000018
【図１７】
2013008249.tif 000019